(57)【特許請求の範囲】
【請求項１】
容器口部上端に嵌合突条を設けた容器と、容器口部に嵌着されるキャップ基体と該キャップ基体に蝶番によって開閉自在に取着された開閉蓋とからなる耐熱キャップとを備えた内容液注出容器において、
キャップ基体に形成した嵌着筒の上端周縁に、上壁上面から傾斜して立ち上がる傾斜面を内側に有する突出リングを設けるとともに、上壁上面の嵌着筒内周面内側に、上端周縁に膨出部を設けた嵌合リングを立設しており、
開閉蓋は、頂壁と側筒壁とを具備し、側筒壁下端に前記傾斜面に接合する傾斜面を設けた突出リングを設けるとともに、側筒壁の下部内周を前記嵌合リングの膨出部に締着させ、下端内周に膨出突条を設けていることを特徴とする内容液注出容器のキャップ。
【発明の詳細な説明】
【０００１】
【発明の属する技術分野】
本発明は、内容液注出容器の打栓式キャップ、とくに容器口部に打栓により嵌着されるキャップ基体と該キャップ基体に蝶番によって開閉自在に取着された開閉蓋とからなる耐熱キャップに関する。
【０００２】
【従来の技術】
容器口部上端に嵌合突条を設けた容器と、容器口部に嵌着されるキャップ基体と該キャップ基体に蝶番によって開閉自在に取着された開閉蓋とからなる耐熱キャップとを備えた内容液注出容器は、従来より種々のものがあるが、その一つとして、図７に示すような内容液注出容器のキャップが提案されている。
図において、Ａ１は容器口部７０に嵌合部７１を設けた容器、Ｂ１は容器口部７０内周に係合する嵌合筒７２を具備した中栓である。
【０００３】
Ｃｂはキャップで、キャップ基体Ｃ１と該キャップ基体Ｃ１に蝶番７３によって開閉自在に取着された開閉蓋Ｃ２とからなっている。
キャップ基体Ｃ１は、容器口部７０の嵌合部７１に嵌着される嵌着筒７４と前記中栓の嵌合筒７２に係合する嵌挿筒７５と上壁７６とを具え、上壁７６の上面には、注出筒７７と、上端外周に膨出部７８を設けた嵌合リング７９が立設されている。
【０００４】
開閉蓋Ｃ２は、封鎖時にその側筒壁８０内周が前記膨出部７８と係合してキャップ基体Ｃ１に嵌着されるようになっている。
そして、キャップＣｂと容器口部７０との嵌着を強固にし、さらに中栓Ｂ１のシール性を高めるために、中栓Ｂ１の嵌合筒７２と容器口部７０内周との間の締め代、およびキャップＣｂの嵌着筒７４と容器口部７０の嵌合部７１との間の締め代を大きくとるようにしている。
【０００５】
【発明が解決しようとする課題】
しかしながら、上記従来のキャップにおいて、中栓の嵌合筒７２と容器口部７０内周との間の締め代が大きくなると、キャップの容器への打栓時に、容器口部７０により中栓Ｂ１の嵌合筒７２とともにキャップ基体Ｃ１の嵌挿筒７５が内側に偏寄させられ、それに応じてキャップ基体Ｃ１の上壁７６と嵌合リング７９も内側に偏寄させられることになり、また、嵌挿筒７５下端が内側に傾斜し、嵌着筒７４上の上壁７６の上面外周縁が下がることもある。
また、熱充填後の打栓にあたっては、開閉蓋Ｃ２にかかる打栓力により、開閉蓋Ｃ２の側筒壁８０が外方に傾斜して広がるという問題も避けることはできない。
【０００６】
上記のことから、キャップ基体Ｃ１の上壁７６に立設された嵌合リング７９と開閉蓋Ｃ２の側筒壁８０内周との間に弛みが生じ、開閉蓋Ｃ２の嵌着が弱まるとともに、上壁７６と側筒壁８０下面との間の接着圧が減少し、間隙ができるという問題点が生じてきた。
また、内容液を加熱充填した場合には、打栓後に冷却水をかけて冷却するが、その冷却工程においてキャップ内部が負圧となり、キャップ基体Ｃ１の嵌着筒７４の周縁上面と開閉蓋Ｃ２の側筒壁８０下端面との間隙から冷却水がキャップ内に侵入するという問題が生じてきた。
【０００７】
本発明は、上記の問題点を考慮して、容器口部に打栓により嵌着されるキャップ基体と該キャップ基体に蝶番によって開閉自在に取着された開閉蓋とからなるキャップを嵌着した容器において、打栓にあたって、開閉蓋が外方に偏奇することを防ぎ、キャップ基体と開閉蓋との嵌着をゆるまないようにすること、および加熱充填後の冷却工程において、キャップ内に冷却水が侵入することを防止することを技術的課題として、改良された内容液注出容器のキャップを提供することを目的とする。
【０００８】
【課題を解決するための手段】
本発明は、上記の技術的課題を解決するため、内容液注出容器のキャップとして、容器口部上端に嵌合突条を設けた容器と、容器口部に嵌着されるキャップ基体と該キャップ基体に蝶番によって開閉自在に取着された開閉蓋とからなる耐熱キャップとを備えた内容液注出容器において、キャップ基体に形成した嵌着筒の上端周縁に、上壁上面から傾斜して立ち上がる傾斜面を内側に有する突出リングを設けるとともに、上壁上面の嵌着筒内周面内側に、上端周縁に膨出部を設けた嵌合リングを立設しており、開閉蓋は、頂壁と側筒壁とを具備し、側筒壁下端に前記傾斜面に接合する傾斜面を設けた突出リングを設けるとともに、側筒壁の下部内周を前記嵌合リングの膨出部に締着させ、下端内周に膨出突条を設けていることを特徴とする構成を採用する。
【０００９】
【発明の実施の形態】
次に、本発明の第１実施形態について、図１〜４を参照して説明する。
図１において、Ａは、ガラスまたはＰＥＴその他の硬質の合成樹脂により成形された容器であって、容器胴部１と容器口部２とからなっている。
前記容器口部２の上端には、容器口部２外周より拡径された嵌合部３が形成されており、下端には、容器Ａを挟持するための保持突条４が形成されている。
【００１０】
Ｂは、射出成形により成型された中栓であり、覆壁５と容器口部２に係合被嵌される嵌合筒６とを具えている。
素材樹脂として、ポリエチレンその他軟質の合成樹脂が用いられる。
Ｃは、射出成形によって成型されたキャップで、筒状のキャップ基体７と、該キャップ基体７に蝶番８で連結された開閉蓋９とからなっている。
素材樹脂として、軟化温度の高いポリプロピレンその他の硬質の合成樹脂が用いられる。
【００１１】
図２に示すように、中栓Ｂの覆壁５の下面には、内容液の流出口となる除去部１０を形成するため、一定形状の切断溝１１が設けられており、除去部１０の上面には、連結片１２を介して指かけリング１３が設けられている。
該指かけリング１３に指をかけ上方に引張り上げると切断溝１１が切断され、除去部１０が切り取られて内容液の流出口が形成されるようになっている。
【００１２】
前記覆壁５の下方には、その周縁部から下垂する内筒１４が形成されており、該内筒１４の下端は外方に延長され、嵌合筒６に連結されて連結部１５となっている。
嵌合筒６と内筒１４と連結部１５とによって、挿入溝１６が形成されている。
前記嵌合筒６の上端には、フランジ状に外方に突出する覆板１７が形成され、容器口部２の上端を覆うようになっている。
挿入溝１６の底部には位置決め用突起１８が設けられており、位置決め用突起１８に対応する連結部１５の下面には、位置決め用突起１８の位置が外からも容易に確認し、位置調整できるように凸片１９が設けられている。
【００１３】
図３に示すように、キャップ基体７は、中栓Ｂを被嵌して容器口部２に嵌合するため嵌着筒２０と嵌挿筒２１と上壁２２とを有している。
嵌着筒２０の内周には、嵌合面２３が形成され、数個所に突条２４が形成されており、嵌合面２３の下方には嵌合突条２５が形成されている。
嵌挿筒２１の下端には、蝶番８に対応する位置に、位置決め用凹溝２６が設けられている。
前記嵌挿筒２１は、その位置決め用凹溝２６に中栓Ｂの位置決め用突起１８が係合するよう位置合わせされて、中栓Ｂの挿入溝１６に嵌挿され、打栓時に中栓Ｂの嵌合筒６を容器口部２内周に押圧し、締着させるようになっている。
【００１４】
前記上壁２２の上面には、外周縁に膨出部２７を設けた嵌合リング２８が立設されており、嵌着筒２０の上端周縁には内側に傾斜面２９を設けた突出リング３０が立設されている。
上壁２２の内周縁は、嵌挿筒２１の内方まで突出し、突出縁３１が形成されており、該突出縁３１の上面には注出筒３２が立設されている。
該注出筒３２の上端周縁は、外方に拡開されて注出口唇部３３が形成されている。
【００１５】
蝶番８は、キャップ基体７、開閉蓋９とともに一体成形され、蝶番８の両側には、バネ３４が設けられており、開閉蓋９を開閉操作したときに、閉鎖位置と開放位置に偏寄させるようにしている。
【００１６】
開閉蓋９は、頂壁３５と側筒壁３６とからなり、頂壁３５の下面中央部には、前記注出筒３２内面に嵌合し、その注出口唇部３３を密封する密封リング３７が設けられている。
密封リング３７の蝶番側には、３個の突起３８が設けられ、開閉蓋９を閉鎖したときに密封リング３７が注出口唇部３３に係合するよう案内し位置合わせするようにしている。
側筒壁３６の下面には、外側に前記突出リング３０の傾斜面２９と接合する傾斜面３９を設けた突出リング４０が形成されている。
側筒壁３６の下部内周には、前記キャップ基体７の嵌合リング２８の膨出部２７に係合する膨出突条４１が形成されている。
蝶番８の反対側の下端外周には、つまみ４２が形成されている。
【００１７】
容器口部２の嵌合部３、中栓Ｂの嵌合筒６、キャップ基体７の嵌着筒２０、嵌合リング２８と開閉蓋９の側筒壁３６との間の相互の関係は、図４に示すように、中栓Ｂの嵌合筒６の外周と容器口部２内周との間には、締め代ｄ1 が形成されており、キャップ基体７の嵌着筒２０内周に設けられた嵌合面２３と容器口部２の嵌合部３の外周面との間には、締め代ｄ2 が形成されている。
また、キャップ基体７の嵌合リング２８の膨出部２７の外径と開閉蓋９の内径との間には締め代ｄ3 が形成され、開閉蓋９の膨出突条４１の内径は、嵌合リング２８の膨出部２７の外径より小さく、嵌合リング２８下部外径との間に締め代を残して等しくされている。
【００１８】
次に、上記構成による作用効果について説明すると、本実施形態の容器は、内容液の充填後にキャップＣが打栓されるが、打栓にあたっては、まず、中栓ＢとキャップＣが結合される。
その際に、キャップ基体７の嵌挿筒２１は、その位置決め用凹溝２６に中栓Ｂの位置決め用突起１８が係合するよう位置合わせされ、中栓Ｂの挿入溝１６に嵌挿され、嵌着筒２０の内周に形成された突条２４によって中栓Ｂの覆板１７が係止される。
【００１９】
次いで、中栓Ｂが結合されたキャップＣを、内容液を充填した容器の容器口部２に打栓する。
打栓時には、まずキャップ基体７の嵌着筒２０の嵌合突条２５の下面が容器口部２の嵌合部３の上端に衝接する。
次いで嵌合突条２５の内周面が嵌合部３の外周面に弾接されるとともに、嵌合筒６の外周が容器口部２内周に弾接されながら下降する。
最後に上壁２２が容器口部２上端に衝接し、嵌合突条２５が嵌合部３の下面に係合して打栓が完了する。
【００２０】
打栓にあたっては、中栓の嵌合筒と口部の締め代ｄ1 が大きくとってあるので、嵌合筒６を介してキャップ基体７の嵌挿筒２１は、内方に偏寄させられることになる。
その際、嵌着筒２０の上端周縁に設けられた突出リング３０の傾斜面２９が、側筒壁３６の突出リング４０の傾斜面３９に接合することにより、開閉蓋９の側筒壁３６を内方に押圧すると同時に、打栓力に抗して上方に押上げるように作用する。
そのことによって、打栓力は、開閉蓋９の側筒壁３６を通じて効果的に作用するとともに、開閉蓋９の側筒壁３６は内方に移動させられることになるので、側筒壁３６とキャップ基体７の嵌合リング２８との位置関係が変わらず、側筒壁３６内周と嵌合リング２８の膨出部２７との嵌着を強固な状態に保つことができる。
【００２１】
打栓の完了時には、中栓Ｂの嵌合筒６と容器口部２との締め代ｄ1 を大きくとってあるので、中栓Ｂは容器口部２内周に強く締着され、内容液は確実に密封される。
また、容器口部２の嵌合部３外周面とキャップ基体７の嵌着筒２０の嵌合面２３との間に締め代ｄ2 を大きくとり、嵌合突条２５が容器口部２の嵌合部３の下面に嵌着されているので、キャップ基体７の嵌着が強化される。
さらにまた、キャップ基体７の突出リング３０と側筒壁３６の突出リング４０は傾斜面２９、３９で接合しているので、キャップ基体７の上壁２２と側筒壁３６との接着圧が変化することはなく密着が保たれる。
【００２２】
内容液を加熱殺菌する場合には、加熱殺菌した内容液が充填され、打栓密封した後に容器を廻動倒立して容器内の空気を殺菌し、つづいて容器を元の状態に戻して上方から冷却水のシャワーをかけて冷却した後に製品として搬出される。
熱充填にあたって、締め代ｄ1 、ｄ2 を大きくとっているので、素材樹脂が高温になってもキャップＣが外れるというようなトラブルはなく、シール性も充分に保たれる。
【００２３】
殺菌処理の終了後に、熱充填容器は再び元の状態に戻され、上方から冷却水のシャワーがかけられるが、冷却時にキャップＣ内部が負圧になっても、キャップ基体７と開閉蓋９との間は、キャップ基体７の突出リング３０と側筒壁３６の突出リング４０は傾斜面２９、３９で接合し密着が保たれ、さらに、嵌合リング２８の膨出部２７と側筒壁３６との間は、締め代ｄ3 により締着されているので、キャップ基体７の上壁２２と開閉蓋９の側筒壁３６下端との間から冷却水が吸引されることが阻止される。
【００２４】
製品容器の開封にあたっては、つまみ４２を持って開閉蓋９を開き、指かけリング１３を引き上げると、切断溝１１が切断されて除去部１０を容易に取り去ることができ、流出口が形成される。
開封後に、開閉蓋９を閉じると、密封リング３７が注出筒３２内周に嵌合され、内容液の流出が阻止されるとともに、側筒壁３６の膨出突条４１が嵌合リング２８の膨出部２７を乗り越えてその下面に係合し、開閉蓋９は強固に嵌着される。
さらに、開閉蓋９内周が嵌合リング２８の膨出部２７に係合し、側筒壁３６の下端の突出リング４０とキャップ基体７の突出リング３０とが、傾斜面２９、３９で密接しているので、キャップＣ内部が密封され、空気中の雑菌が入らないので衛生的である。
【００２５】
次に、中栓Ｂ、キャップＣの構成の一部を変更した第２実施形態について説明する。
前記実施形態では、中栓を採用し、中栓に注出筒を形成しているが、第２実施形態は中栓を使用しないで、キャップ基体に、嵌着筒とともに容器口部内周に係合する嵌合筒と注出筒を設けたものである。
図５、６を参照して第１実施形態との相違点を中心に説明する。
図において、Ａａは容器、Ｃａはキャップで、キャップ基体７ａと、該キャップ基体７ａに蝶番８ａによって開閉自在に取着された開閉蓋９ａとからなっている。
【００２６】
キャップ基体７ａは、容器口部２ａに嵌着するよう嵌着筒５０と上壁５１と容器口部２ａ内周に嵌挿される嵌合筒５２とを具備している。
嵌合筒５２の下端は内方に屈曲され連結部５３を形成しており、該連結部５３の内端は上方に屈曲され注出筒５４を形成している。
該注出筒５４の上端周縁は、外方に拡開されて注出口唇部５５が形成されている。
【００２７】
注出筒５４の中間、上壁に一致する位置に覆壁５６が形成され、覆壁５６下面には、注出筒５４に沿って切断溝５７が刻設され、除去部５８が形成されるようになっており、除去部５８の上面には連結片を介して指かけリング５９が連設されている。
【００２８】
前記上壁５１の上面には、周縁に膨出部６０を設けた嵌合リング６１が立設されており、嵌着筒５０の上端周縁には、内側に傾斜面６２を設けた突出リング６３が立設されている。
容器口部２ａ内周と嵌着筒５０との間の締め代ｄ1 、および容器口部２ａと嵌合筒５２との間の締め代ｄ2  は、いずれも第１実施形態と同様に大きくとっている。
【００２９】
開閉蓋９ａは、頂壁６４と側筒壁６５とを具えており、側筒壁６５の下面には、外側に前記突出リング６３の傾斜面６２を係合する傾斜面６６を設けた突出リング６７が形成されており、側筒壁６５の下部内周には、前記キャップ基体７ａの嵌合リング６１の膨出部６０の下側に係合する膨出突条６８が形成されている。
側筒壁６５の内周と嵌合リング６１の膨出部６０との間には、第１実施形態と同様に大きな締め代ｄ3  が形成されている。
【００３０】
内容液の加熱充填後の打栓時、および冷却時には、第１実施形態と同一の作用効果を得ることができる。
【００３１】
【発明の効果】
本発明は、上記のように構成されているから、次の効果を奏する。
キャップ基体の嵌着筒上端周縁に、傾斜面を内側に有する突出リングを設け、その傾斜面と開閉蓋の側筒壁下端の突出リングに設けた傾斜面に接合させるようにしているから、打栓時に、キャップ基体の突出リングが開閉蓋の側筒壁を内方に押圧し、キャップ基体の嵌合リングと開閉蓋の内周との嵌着をゆるまないようにし、両者の結合を強固な状態に保つことができる。
【００３２】
嵌着筒に設けた突出リングと開閉蓋の突出リングによって、開閉蓋の側筒壁下端部を密封するようにしているから、加熱充填後の冷却工程において、キャップ内に冷却水が侵入することを防止することができる。
【図面の簡単な説明】
【図１】  本発明の第１実施形態を示すもので、容器と中栓、キャップの結合状態を示す縦断正面図である。
【図２】  中栓を示す図面で、（ａ）は平面図、（ｂ）は縦断正面図、（ｃ）は底面図である。
【図３】  開放状態のキャップを示す図面で、（ａ）は平面図、（ｂ）は縦断正面図、（ｃ）は底面図である。
【図４】  容器、中栓、キャップの結合状態を示す要部の拡大断面図である。
【図５】  本発明の第２実施形態の開放状態のキャップを示す図面で、（ａ）は平面図、（ｂ）は縦断正面図、（ｃ）は底面図である。
【図６】  容器、キャップの結合状態を示す要部の拡大断面図である。
【図７】  従来の注出容器を示す説明図である。
【符号の説明】
Ａ、Ａａ、Ａ１        容器
Ｂ、Ｂ１              中栓
Ｃ、Ｃａ、Ｃｂ        キャップ
２、２ａ、７０        容器口部
３、７１              嵌合部
５、５６              覆壁
６                    嵌合筒
７、７ａ、Ｃ１        キャップ基体
８、８ａ、７３        蝶番
９、９ａ、Ｃ２        開閉蓋
２０、５０、７４      嵌着筒
２１                  嵌挿筒
２２、５１、７６      上壁
２７、６０、７８      膨出部
２８、６１、７９      嵌合リング
２９、３９、６２、６６  傾斜面
３０、４０、６３、６７  突出リング
３６、６５、８０      側筒壁
４１、６８            膨出突条
５２、７２            嵌合筒
【図１】
0003938796.tif 000002
【図２】
0003938796.tif 000003
【図３】
0003938796.tif 000004
【図４】
0003938796.tif 000005
【図５】
0003938796.tif 000006
【図６】
0003938796.tif 000007
【図７】
0003938796.tif 000008